(57)【要約】【課題】  番組の記録や再生を円滑に行えるようにする。【解決手段】  CPUは、番組を複数のＡＶファイルに分割して記録するか否かを判定し、分割して記録する場合、分割して記録するＡＶファイル９０−２乃至９０−４に、ＡＶファイルの順番を示す識別データ１３１−２乃至１３１−４を付与し、複数のＡＶファイル９０−１乃至９０−４を、記録メディア３７に分割して記録するように記録媒体制御部を制御する。再生時、CPUは、複数のＡＶファイル９０−１乃至９０−４を、それぞれの識別データ１３１−２乃至１３１−４に示されるＡＶファイルの順番に従って関連付け、関連付けられた順番に、ＡＶファイル９０−１乃至９０−４を再生する。本発明は、番組を記録媒体に記録したり再生する記録再生装置に適用することができる。【選択図】図６
2006246422.tif 000002
【特許請求の範囲】
【請求項１】
番組を動画像ファイルとして記録媒体に記録する記録装置において、
所定の条件に基づいて、前記番組を複数の動画像ファイルに分割して記録するか否かを判定する判定手段と、
前記判定手段により前記番組を複数の前記動画像ファイルに分割して記録すると判定された場合、分割して記録する複数の動画像ファイルに、動画像ファイルの順番を示す識別データを付与する付与手段と、
複数の前記動画像ファイルを前記記録媒体に分割して記録するよう制御する記録制御手段と
を備えることを特徴とする記録装置。
【請求項２】
前記付与手段は、前記判定手段により前記番組を複数の動画像ファイルに分割して記録すると判定された場合、分割して記録する複数の動画像ファイルのうちの先頭の動画像ファイルを除く動画像ファイルのそれぞれに、前記識別データを付与する
ことを特徴とする請求項１に記載の記録装置。
【請求項３】
前記判定手段は、前記記録媒体に記録する前記動画像ファイルの記録時間が所定の制限時間を超えた場合に、前記番組を複数の動画像ファイルに分割して記録すると判定する
ことを特徴とする請求項１に記載の記録装置。
【請求項４】
前記判定手段は、前記記録媒体に記録する前記動画像ファイルのデータ量が所定の閾値を超えた場合に、前記番組を複数の動画像ファイルに分割して記録すると判定する
ことを特徴とする請求項１に記載の記録装置。
【請求項５】
前記判定手段は、動画像ファイルを記録しているときに、前記番組のコピーの制限される状態が変化する場合、コピーの制限される状態が変化する箇所で、前記番組を複数の動画像ファイルに分割して記録すると判定し、
前記付与手段は、分割して記録する複数の動画像ファイルに付与する前記識別データに、コピーを制限するデータをさらに含める
ことを特徴とする請求項１に記載の記録装置。
【請求項６】
前記付与手段は、分割して記録する複数の動画像ファイルに付与する前記識別データに、前記番組を放送する放送局を示すデータ、前記番組のタイトルを示すデータ、および前記動画像ファイルの記録日時を示すデータをさらに含める
ことを特徴とする請求項１に記載の記録装置。
【請求項７】
前記条件を設定する設定手段をさらに備え、
前記判定手段は、前記設定手段により設定された前記条件に基づいて、前記番組を複数の動画像ファイルに分割して記録するか否かを判定する
ことを特徴とする請求項１に記載の記録装置。
【請求項８】
前記記録媒体に記録された複数の前記動画像ファイルを再生する再生手段と、
前記識別データが付与されている複数の前記動画像ファイルを、それぞれの前記識別データに示される前記動画像ファイルの順番に従って関連付ける関連付け手段とをさらに備え、
前記再生手段は、前記関連付け手段により関連付けられた複数の前記動画像ファイルの順番に、前記動画像ファイルを再生する
ことを特徴とする請求項１に記載の記録装置。
【請求項９】
番組を動画像ファイルとして記録媒体に記録する記録装置の記録方法において、
所定の条件に基づいて、前記番組を複数の動画像ファイルに分割して記録するか否かを判定する判定ステップと、
前記判定ステップの処理により前記番組を複数の前記動画像ファイルに分割して記録すると判定された場合、分割して記録する複数の動画像ファイルに、動画像ファイルの順番を示す識別データを付与する付与ステップと、
複数の前記動画像ファイルを前記記録媒体に分割して記録するよう制御する記録制御ステップと
を含むことを特徴とする記録方法。
【請求項１０】
番組を動画像ファイルとして記録媒体に記録する処理を実行するプログラムであって、
所定の条件に基づいて、前記番組を複数の動画像ファイルに分割して記録するか否かを判定する判定ステップと、
前記判定ステップの処理により前記番組を複数の前記動画像ファイルに分割して記録すると判定された場合、分割して記録する複数の動画像ファイルに、動画像ファイルの順番を示す識別データを付与する付与ステップと、
複数の前記動画像ファイルを前記記録媒体に分割して記録するよう制御する記録制御ステップと
を含む処理をコンピュータに実行させることを特徴とするプログラム。
【請求項１１】
複数の動画像ファイルに分割されて記録媒体に記録された番組を再生する再生装置において、
分割された複数の前記動画像ファイルに付与されている、動画像ファイルの順番を示す識別データに従って、複数の前記動画像ファイルを関連付ける関連付け手段と、
前記関連付け手段により関連付けられた複数の前記動画像ファイルの順番に、前記動画像ファイルを再生する再生手段と
を備えることを特徴とする再生装置。
【請求項１２】
複数の動画像ファイルに分割されて記録媒体に記録された番組を再生する再生装置の再生方法において、
分割された複数の前記動画像ファイルに付与されている、動画像ファイルの順番を示す識別データに従って、複数の前記動画像ファイルを関連付ける関連付けステップと、
前記関連付けステップの処理により関連付けられた複数の前記動画像ファイルの順番に、前記動画像ファイルを再生する再生ステップと
を含むことを特徴とする再生方法。
【請求項１３】
複数の動画像ファイルに分割されて記録媒体に記録された番組を再生するプログラムであって、
分割された複数の前記動画像ファイルに付与されている、動画像ファイルの順番を示す識別データに従って、複数の前記動画像ファイルを関連付ける関連付けステップと、
前記関連付けステップの処理により関連付けられた複数の前記動画像ファイルの順番に、前記動画像ファイルを再生する再生ステップと
を含む処理をコンピュータに実行させることを特徴とするプログラム。
【発明の詳細な説明】
【技術分野】
【０００１】
本発明は、記録装置および記録方法、再生装置および再生方法、並びにプログラムに関し、特に、番組の記録や再生を円滑に行うことができるようにした記録装置および記録方法、再生装置および再生方法、並びにプログラムに関する。
【背景技術】
【０００２】
例えば、特許文献１には、記録（録画）したコンテンツ（番組）を携帯端末に転送する記録装置が開示されている。
【０００３】
このような記録装置は、転送された番組を再生する携帯端末の能力を考慮して、番組を録画している。
【０００４】
例えば、記録装置は、転送先の携帯端末がデコード処理用に確保できるメモリサイズの制約を考慮して、一度に連続して録画する時間に制限時間を設けている。
【０００５】
【特許文献１】特願２００４−２５４１４３号公報
【発明の開示】
【発明が解決しようとする課題】
【０００６】
しかしながら、録画したい１つの番組の放送時間が、一度に連続して録画する制限時間を超える場合、ユーザは、１つの番組の録画予約にも拘わらず、録画の設定を複数回に渡って行う必要があり、録画の設定が面倒であるという課題があった。
【０００７】
また、複数回に渡って１つの番組の録画予約が行われた場合、録画により記録されるファイルが複数となり、ユーザは、１つの番組を再生するのに、複数のファイルを順次選択し、再生を指令する必要があり、再生の指令が面倒であるという課題があった。
【０００８】
本発明はこのような状況に鑑みてなされたものであり、番組の記録や再生を円滑に行うことができるようにするものである。
【課題を解決するための手段】
【０００９】
本発明の記録装置は、所定の条件に基づいて、番組を複数の動画像ファイルに分割して記録するか否かを判定する判定手段と、判定手段により番組を複数の動画像ファイルに分割して記録すると判定された場合、分割して記録する複数の動画像ファイルに、動画像ファイルの順番を示す識別データを付与する付与手段と、複数の動画像ファイルを記録媒体に分割して記録するよう制御する記録制御手段とを備えることを特徴とする。
【００１０】
付与手段は、判定手段により番組を複数の動画像ファイルに分割して記録すると判定された場合、分割して記録する複数の動画像ファイルのうちの先頭の動画像ファイルを除く動画像ファイルのそれぞれに、識別データを付与するものとすることができる。
【００１１】
判定手段は、記録媒体に記録する動画像ファイルの記録時間が所定の制限時間を超えた場合に、番組を複数の動画像ファイルに分割して記録すると判定するものとすることができる。
【００１２】
判定手段は、記録媒体に記録する動画像ファイルのデータ量が所定の閾値を超えた場合に、番組を複数の動画像ファイルに分割して記録すると判定するものとすることができる。
【００１３】
判定手段は、動画像ファイルを記録しているときに、番組のコピーの制限される状態が変化する場合、コピーの制限される状態が変化する箇所で、番組を複数の動画像ファイルに分割して記録すると判定し、付与手段は、分割して記録する複数の動画像ファイルに付与する識別データに、コピーを制限するデータをさらに含めるものとすることができる。
【００１４】
付与手段は、分割して記録する複数の動画像ファイルに付与する識別データに、番組を放送する放送局を示すデータ、番組のタイトルを示すデータ、および動画像ファイルの記録日時を示すデータをさらに含めるものとすることができる。
【００１５】
条件を設定する設定手段をさらに備え、判定手段は、設定手段により設定された条件に基づいて、番組を複数の動画像ファイルに分割して記録するか否かを判定するものとすることができる。
【００１６】
記録媒体に記録された複数の動画像ファイルを再生する再生手段と、識別データが付与されている複数の動画像ファイルを、それぞれの識別データに示される動画像ファイルの順番に従って関連付ける関連付け手段とをさらに備え、再生手段は、関連付け手段により関連付けられた複数の動画像ファイルの順番に、動画像ファイルを再生するものとすることができる。
【００１７】
本発明の記録方法は、所定の条件に基づいて、番組を複数の動画像ファイルに分割して記録するか否かを判定する判定ステップと、判定ステップの処理により番組を複数の動画像ファイルに分割して記録すると判定された場合、分割して記録する複数の動画像ファイルに、動画像ファイルの順番を示す識別データを付与する付与ステップと、複数の動画像ファイルを記録媒体に分割して記録するよう制御する記録制御ステップとを含むことを特徴とする。
【００１８】
本発明の第１のプログラムは、所定の条件に基づいて、番組を複数の動画像ファイルに分割して記録するか否かを判定する判定ステップと、判定ステップの処理により番組を複数の動画像ファイルに分割して記録すると判定された場合、分割して記録する複数の動画像ファイルに、動画像ファイルの順番を示す識別データを付与する付与ステップと、複数の動画像ファイルを記録媒体に分割して記録するよう制御する記録制御ステップとを含む処理をコンピュータに実行させることを特徴とする。
【００１９】
第１の本発明においては、所定の条件に基づいて、番組を複数の動画像ファイルに分割して記録するか否かが判定され、番組を複数の動画像ファイルに分割して記録すると判定された場合、分割して記録する複数の動画像ファイルに、動画像ファイルの順番を示す識別データが付与され、複数の動画像ファイルが記録媒体に分割して記録される。
【００２０】
本発明の再生装置は、分割された複数の動画像ファイルに付与されている、動画像ファイルの順番を示す識別データに従って、複数の動画像ファイルを関連付ける関連付け手段と、関連付け手段により関連付けられた複数の動画像ファイルの順番に、動画像ファイルを再生する再生手段とを備えることを特徴とする。
【００２１】
本発明の再生方法は、分割された複数の動画像ファイルに付与されている、動画像ファイルの順番を示す識別データに従って、複数の動画像ファイルを関連付ける関連付けステップと、関連付けステップの処理により関連付けられた複数の動画像ファイルの順番に、動画像ファイルを再生する再生ステップとを含むことを特徴とする。
【００２２】
本発明の第２のプログラムは、分割された複数の動画像ファイルに付与されている、動画像ファイルの順番を示す識別データに従って、複数の動画像ファイルを関連付ける関連付けステップと、関連付けステップの処理により関連付けられた複数の動画像ファイルの順番に、動画像ファイルを再生する再生ステップとを含む処理をコンピュータに実行させることを特徴とする。
【００２３】
第２の本発明においては、分割された複数の動画像ファイルに付与されている、動画像ファイルの順番を示す識別データに従って、複数の動画像ファイルが関連付けられ、関連付けられた複数の動画像ファイルの順番に、動画像ファイルが再生される。
【発明の効果】
【００２４】
第１の本発明によれば、番組の記録や再生を円滑に行うことができる。特に、第１の本発明によれば、番組を複数の動画像ファイルに分割し、記録することができる。
【００２５】
第２の本発明によれば、番組の記録や再生を円滑に行うことができる。特に、第２の本発明によれば、分割された複数の動画像ファイルを、関連付けて再生することができる。
【発明を実施するための最良の形態】
【００２６】
以下に本発明の実施の形態を説明するが、本明細書に記載の発明と、発明の実施の形態との対応関係を例示すると、次のようになる。この記載は、本明細書に記載されている発明をサポートする実施の形態が、本明細書に記載されていることを確認するためのものである。したがって、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２７】
さらに、この記載は、本明細書に記載されている発明の全てを意味するものでもない。換言すれば、この記載は、本明細書に記載されている発明であって、この出願では請求されていない発明の存在、すなわち、将来、分割出願されたり、補正により出現、追加される発明の存在を否定するものではない。
【００２８】
請求項１に記載の記録装置は、
番組を動画像ファイルとして記録媒体（例えば、図１の記録メディア３７）に記録する記録装置（例えば、図１の記録再生装置１１）であって、
所定の条件に基づいて、前記番組を複数の動画像ファイルに分割して記録するか否かを判定する判定手段（例えば、図４のステップＳ１８の処理を実行する図２の計時部７３）と、
前記判定手段により前記番組を複数の前記動画像ファイルに分割して記録すると判定された場合、分割して記録する複数の動画像ファイルに、動画像ファイルの順番を示す識別データを付与する付与手段（例えば、図５のステップＳ２４の処理を実行する図２の識別データ付与部７４）と、
複数の前記動画像ファイルを前記記録媒体に分割して記録するよう制御する記録制御手段（例えば、図４のステップＳ１２，または図５のステップＳ２２の処理を実行する図１の記録媒体制御部３６）とを備えることを特徴とする。
【００２９】
請求項５に記載の記録装置は、
前記判定手段は、動画像ファイルを記録しているときに、前記番組のコピーの制限される状態が変化する場合（例えば、図１５の例の場合）、コピーの制限される状態が変化する箇所で、前記番組を複数の動画像ファイルに分割して記録すると判定し、
前記付与手段は、分割して記録する複数の動画像ファイルに付与する前記識別データに、コピーを制限するデータ（例えば、図１５のＡＶファイル３８１−１および３８１−２のコピー可、コピー不可のデータ）をさらに含めることを特徴とする。
【００３０】
請求項６に記載の記録装置の前記付与手段は、分割して記録する複数の動画像ファイルに付与する前記識別データに、前記番組を放送する放送局を示すデータ（例えば、図１０のチャンネル１８１）、前記番組のタイトルを示すデータ（例えば、図１０の番組タイトル１８２）、および前記動画像ファイルの記録日時を示すデータ（例えば、図１０の記録日時１８３）をさらに含めることを特徴とする。
【００３１】
請求項７に記載の記録装置は、
前記条件を設定する設定手段（例えば、図２の主制御部７１）をさらに備え、
前記判定手段（例えば、図２の主制御部７１）は、前記設定手段により設定された前記条件に基づいて、前記番組を複数の動画像ファイルに分割して記録するか否かを判定することを特徴とする。
【００３２】
請求項８に記載の記録装置は、
前記記録媒体に記録された複数の前記動画像ファイルを再生する再生手段（例えば、図７のステップＳ４７の処理を実行する図１の記録媒体制御部３６）と、
前記識別データが付与されている複数の前記動画像ファイルを、それぞれの前記識別データに示される前記動画像ファイルの順番に従って関連付ける関連付け手段（例えば、図７のステップＳ４３の処理を実行する図２の関連付け処理部７５）とをさらに備え、
前記再生手段は、前記関連付け手段により関連付けられた複数の前記動画像ファイルの順番に、前記動画像ファイルを再生することを特徴とする。
【００３３】
請求項９に記載の記録方法は、
番組を動画像ファイルとして記録媒体（例えば、図１の記録メディア３７）に記録する記録装置（例えば、図１の記録再生装置１１）の記録方法であって、
所定の条件に基づいて、前記番組を複数の動画像ファイルに分割して記録するか否かを判定する判定ステップ（例えば、図４のステップＳ１８）と、
前記判定ステップの処理により前記番組を複数の前記動画像ファイルに分割して記録すると判定された場合、分割して記録する複数の動画像ファイルに、動画像ファイルの順番を示す識別データを付与する付与ステップ（例えば、図５のステップＳ２４）と、
複数の前記動画像ファイルを前記記録媒体に分割して記録するよう制御する記録制御ステップ（例えば、図４のステップＳ１２，または図５のステップＳ２２）とを含むことを特徴とする。
【００３４】
請求項１０に記載のプログラムは、
所定の条件に基づいて、前記番組を複数の動画像ファイルに分割して記録するか否かを判定する判定ステップ（例えば、図４のステップＳ１８）と、
前記判定ステップの処理により前記番組を複数の前記動画像ファイルに分割して記録すると判定された場合、分割して記録する複数の動画像ファイルに、動画像ファイルの順番を示す識別データを付与する付与ステップ（例えば、図５のステップＳ２４）と、
複数の前記動画像ファイルを前記記録媒体に分割して記録するよう制御する記録制御ステップ（例えば、図４のステップＳ１２，または図５のステップＳ２２）とを含む処理をコンピュータに実行させることを特徴とする。
【００３５】
請求項１１に記載の再生装置は、
複数の動画像ファイルに分割されて記録媒体（例えば、図１の記録メディア３７）に記録された番組を再生する再生装置（例えば、図１７の再生装置４５１）であって、
分割された複数の前記動画像ファイルに付与されている、動画像ファイルの順番を示す識別データに従って、複数の前記動画像ファイルを関連付ける関連付け手段（例えば、図７のステップＳ４３の処理を実行する図２の関連付け処理部７５）と、
前記関連付け手段により関連付けられた複数の前記動画像ファイルの順番に、前記動画像ファイルを再生する再生手段（例えば、図７のステップＳ４７の処理を実行する図１の記録媒体制御部３６）とを備えることを特徴とする。
【００３６】
請求項１２に記載の再生方法は、
複数の動画像ファイルに分割されて記録媒体（例えば、図１の記録メディア３７）に記録された番組を再生する再生装置（例えば、図１７の再生装置４５１）の再生方法であって、
分割された複数の前記動画像ファイルに付与されている、動画像ファイルの順番を示す識別データに従って、複数の前記動画像ファイルを関連付ける関連付けステップ（例えば、図７のステップＳ４３）と、
前記関連付けステップの処理により関連付けられた複数の前記動画像ファイルの順番に、前記動画像ファイルを再生する再生ステップ（例えば、図７のステップＳ４７）とを含むことを特徴とする。
【００３７】
請求項１３に記載のプログラムは、
分割された複数の前記動画像ファイルに付与されている、動画像ファイルの順番を示す識別データに従って、複数の前記動画像ファイルを関連付ける関連付けステップ（例えば、図７のステップＳ４３）と、
前記関連付けステップの処理により関連付けられた複数の前記動画像ファイルの順番に、前記動画像ファイルを再生する再生ステップ（例えば、図７のステップＳ４７）とを含む処理をコンピュータに実行させることを特徴とする。
【００３８】
以下、図を参照して、本発明を適用した一実施の形態について説明する。
【００３９】
図１は、本発明を適用した記録再生装置１１の構成例を示すブロック図である。この記録再生装置１１は、画像データと音声データを少なくとも含む番組（コンテンツ）を、記録メディア３７に記録したり、記録メディア３７に記録されている番組を再生したりする装置である。
【００４０】
この記録再生装置１１には、映像信号入力部２１、Ａ／Ｄ（Analog/Digital）変換部２２、映像信号処理部２３、データバス２４、音声信号入力部２５、Ａ／Ｄ変換部２６、音声信号処理部２７、CPU(Central Processing Unit)２８、、操作入力部２９、RAM(Random Access Memory)３０、エンコーダ３１、表示制御部３２、表示部３３、音声出力制御部３４、音声出力部３５、記録媒体制御部３６、記録メディア３７、およびデコーダ３８が設けられている。
【００４１】
データバス２４に接続される映像信号処理部２３、音声信号処理部２７、CPU２８、RAM３０、エンコーダ３１、表示制御部３２、音声出力制御部３４、記録媒体制御部３６、およびデコーダ３８の各部は、それぞれデータバス２４を介するデータの授受が可能とされている。
【００４２】
映像信号入力部２１は、映像信号の入力を受け付ける。例えば、映像信号入力部２１は、放送された番組に含まれる映像信号の入力を受け付ける。映像信号入力部２１は、受け付けた映像信号（アナログの映像信号）を、Ａ／Ｄ変換部２２に供給する。Ａ／Ｄ変換部２２は、映像信号をＡ／Ｄ変換し、これを映像信号処理部２３に供給する。具体的には、Ａ／Ｄ変換部２２は、供給されてきたアナログの映像信号を、ディジタルの映像信号に変換し、ディジタルの映像信号を、映像信号処理部２３に供給する。映像信号処理部２３は、所定のタイミングで映像信号を取り込む。
【００４３】
なお、映像信号入力部２１へ入力される映像信号から、Ａ／Ｄ変換部２２からの出力となる映像信号までの変換において、各信号には同期信号が含まれており、変換された信号にあわせて同期信号も変換され、各信号の一部として出力される。
【００４４】
また、音声信号入力部２５は、音声信号の入力を受け付ける。例えば、音声信号入力部２５は、放送された番組に含まれる音声信号の入力を受け付ける。音声信号入力部２５は、受け付けた音声信号（アナログの音声信号）を、Ａ／Ｄ変換部２６に供給する。Ａ／Ｄ変換部２６は、音声信号をＡ／Ｄ変換し、これを音声信号処理部２７に供給する。具体的には、Ａ／Ｄ変換部２６は、供給されてきたアナログの音声信号を、ディジタルの音声信号に変換し、ディジタルの音声信号を、音声信号処理部２７に供給する。音声信号処理部２７は、所定のタイミングで音声信号を取り込む。
【００４５】
CPU２８は、データバス２４を介して接続される各部を制御する。例えば、CPU２８は、画像データおよび音声データを少なくとも含むＡＶファイルを、記録メディア３７に記録させるよう各部を制御したり、記録メディア３７に記録されたＡＶファイルを再生するよう各部を制御したりする。記録メディア３７は、例えば、メモリスティック（商標）などの媒体とされる。
【００４６】
操作入力部２９は、ユーザからの指令を受け付け、これをCPU２８に通知する。例えば、操作入力部２９は、ユーザからの番組の録画（記録）を開始する指令や、ユーザからの番組の録画（記録）を停止する指令を受け付け、この指令をCPU２８に通知する。
【００４７】
RAM３０は、データバス２４を介して供給されてきた各種のデータを記憶する。エンコーダ３１は、データバス２４を介するCPU２８からの制御に基づいて、画像データや音声データを所定のフォーマットに基づいてエンコードする。例えば、エンコーダ３１は、RAM３０に記憶された画像データと音声データを、データバス２４を介して取り込み、MPEG（Moving Picture Expert Group）４の規格に基づいて動画ファイル（ＡＶファイル）のフォーマットにエンコードする。エンコーダ３１は、エンコードして得られたＡＶファイルデータ（動画ファイルデータ）を、RAM３０に供給する。
【００４８】
表示制御部３２は、CPU２８からの制御に基づいて、表示部３３への表示を制御する。表示部３３は、表示制御部３２からの制御に基づいて、画像を表示する。表示部３３は、例えば、LCD(Liquid Crystal Display)やCRT(Cathode Ray Tube)とされる。
【００４９】
音声出力制御部３４は、データバス２４を介するCPU２８からの制御に基づいて、音声出力部３５への音声の出力を制御する。音声出力部３５は、音声出力制御部３４からの制御に基づいて、音声を出力する。音声出力部３５は、例えば、スピーカとされる。
【００５０】
記録媒体制御部３６は、CPU２８からの制御に基づいて、記録メディア３７への記録を制御したり、記録メディア３７からの再生を制御したりする。
【００５１】
デコーダ３８は、CPU２８からの制御に基づいて、RAM３０に展開されているＡＶファイルデータを、データバス２４を介して取り込み、デコードすることで、画像データと音声データを取得（復元）する。例えば、デコーダ３８は、RAM３０に展開されているMPEG４の規格に基づいてエンコードされているＡＶファイルフォーマットのＡＶファイルデータをデコードし、画像データと音声データとを取得する。デコーダ３８は、取得した画像データと音声データとを、データバス２４を介してRAM３０に供給する。
【００５２】
次に、図１の記録再生装置１１の動作の例を説明する。最初に記録（録画）を行う場合の動作の例について説明する。
【００５３】
映像信号入力部２１は、放送された番組に含まれる映像信号の入力を受け付け、受け付けた映像信号（アナログの映像信号）を、Ａ／Ｄ変換部２２に供給する。Ａ／Ｄ変換部２２は、供給されてきたアナログの映像信号を、ディジタルの映像信号に変換し、ディジタルの映像信号を、映像信号処理部２３に供給する。また、音声信号入力部２５は、放送された番組に含まれる音声信号の入力を受け付け、受け付けた音声信号（アナログの音声信号）を、Ａ／Ｄ変換部２６に供給する。Ａ／Ｄ変換部２６は、供給されてきたアナログの音声信号を、ディジタルの音声信号に変換し、ディジタルの音声信号を、音声信号処理部２７に供給する。
【００５４】
操作入力部２９への番組の録画（記録）の開始の指令がCPU２８により検出されると、CPU２８は、データバス２４を介して、映像信号処理部２３と音声信号処理部２７に各種の処理を実行させ、その処理により得られた画像データと音声データとをRAM３０に一時記憶させる。具体的には、映像信号処理部２３は、Ａ／Ｄ変換部２２から供給されてきた映像信号に含まれる同期信号をトリガとして、供給されてきた映像信号を、CPU２８の指定するタイミングでフレームまたはフィールド単位（所定の画像単位）で取り込み、画像データとして、データバス２４を介してRAM３０に供給する。また、同時に音声信号処理部２７は、Ａ／Ｄ変換部２６から供給されてきた音声信号を、CPU２８の指定するサンプリング周期で取り込み、音声データとして、データバス２４を介してRAM３０に供給する。RAM３０は、映像信号処理部２３からデータバス２４を介して供給されてきた画像データと、音声信号処理部２７からデータバス２４を介して供給されてきた音声データとを記憶する。
【００５５】
エンコーダ３１は、CPU２８からの制御に基づいて、RAM３０に記憶された画像データと音声データを、データバス２４を介して取り込み、MPEG（Moving Picture Expert Group）４の規格に基づいてＡＶファイルのフォーマットにエンコードする。そして、エンコーダ３１は、エンコードした結果得たＡＶファイルデータを、データバス２４を介してRAM３０に格納する。また、エンコーダ３１は、ＡＶファイルデータを構成する画像および音声データの配置情報等を示すデータを同時に生成し、RAM３０に格納する。CPU２８は、RAM３０に格納されたＡＶファイルデータが一定のサイズに達すると、記録媒体制御部３６を制御し、記録メディア３７へＡＶファイルデータを書き込ませる。
【００５６】
この記録メディア３７へのＡＶファイルデータの書き込みは、ユーザからの番組の録画（記録）の停止の指令が操作入力部２９に入力されるまで繰り返し実行される。CPU２８は、操作入力部２９に、録画の停止の指令が入力された場合、記録媒体制御部３６に対して、まだ書き込まれていないＡＶファイルデータの書き込みと、エンコード中に生成されたＡＶファイルデータを構成する画像および音声データの配置情報等を示すデータの書き込みを行わせ、記録メディア３７への書き込みを終了させる処理（ファイルのクローズ）を行う。これによりＡＶファイル（番組ファイル）が生成され、記録メディア３７に記録されたことになる。
【００５７】
このとき、ユーザから録画を停止する指令が操作入力部２９に入力される前に、録画開始時から一定の時間（所定の制限時間）が経過した場合、CPU２８は、録画の停止を各部に指令し、一旦ＡＶファイルをクローズして、ＡＶファイルＦ（１）を生成する。ＡＶファイルＦ１（１）の生成後、ユーザから録画を停止する指令が操作入力部２９にまだ入力されていない場合には、CPU２８は、再び、番組の録画を再開する。そして、次に、録画されたＡＶファイルを、ＡＶファイルＦ（２）とする。具体的には、ユーザから録画を停止する指令が操作入力部２９に入力されない状態で、録画開始時から一定の時間が経過した場合、CPU２８は、そのＡＶファイルをクローズして、番組を分割したファイルであるＡＶファイルＦ（１）として記録させ、その続きのＡＶファイルデータの録画を開始する。そして、続きのＡＶファイルデータの記録を開始してから、ユーザから録画を停止する指令が操作入力部２９に入力されない状態で、さらに一定の時間が経過した場合、CPU２８は、録画の停止を各部に指令し、一旦ＡＶファイルをクローズしてＡＶファイルＦ（２）を生成する。この処理は、操作入力部２９に、ユーザから録画の停止の指令が入力されるまで繰り返し実行される。
【００５８】
このようにして、ユーザの１回の録画を開始する指令に対して、番組が、複数のＡＶファイルＦ（ｎ）（ｎ＝１，２，３，・・・）に分割されて記録される。すなわち、ユーザの１回の録画の指令に対して、録画開始からの時間の経過に伴って、１つの番組が複数のＡＶファイルに分割されて記録メディア３７に記録される。
【００５９】
なお、ＡＶファイルＦ（ｎ）の括弧の中に付されている値「ｎ」はそのＡＶファイルＦｎがｎ番目に分割されて生成されたＡＶファイルであることを示している。また、ＡＶファイルＦ（ｎ）には、そのＡＶファイルＦｎがｎ番目に分割されたファイルであることを識別する識別データが付与（付加）されている。すなわち、CPU２８は、ＡＶファイルＦ（ｎ）を生成する場合に、そのＡＶファイルＦ（ｎ）に、ｎ番目に分割されたファイルであることを示す識別データを付与する。
【００６０】
次に、再生を行う場合の動作の例について説明する。
【００６１】
最初に、CPU２８は、記録媒体制御部３６を制御して、記録メディア３７に再生対象となるＡＶファイルが記録されているか否かを確認する。再生対象となるＡＶファイルが記録メディア３７に記録されている場合、CPU２８は、再生対象となるＡＶファイルに、識別データが付与されているかを確認し、識別データが付与されている場合には、識別データが付与されているＡＶファイルを、その識別データに示される順番に従って関連付けする。具体的には、CPU２８は、ＡＶファイルＦ（ｍ−１）とＡＶファイルＦ（ｍ）（ｍは、２以上の自然数）とを順次関連づけする。具体的には、CPU２８は、ＡＶファイルＦ（１）、ＡＶファイルＦ（２）、ＡＶファイルＦ（３）、・・・、ＡＶファイルＦ（ｎ）の順番となるように、各ＡＶファイルを関連付けする。また、CPU２８は、関連付けした複数のＡＶファイルを１つの番組と見なす。
【００６２】
そして、CPU２８は、表示制御部３２を制御して、表示部３３に、番組を選択するための番組選択画面を表示させる。CPU２８は、例えば、ＡＶファイルに識別データが付与されていない場合には、その１つのＡＶファイルを１つの番組とし、複数のＡＶファイル（識別データが付与されているＡＶファイル）が関連付けされている場合には、その関連付けされた複数のＡＶファイルを１つの番組として、番組を選択する番組選択画面を表示させる。
【００６３】
ユーザにより、表示部３３に表示された番組の再生を指令する操作が操作入力部２９に入力されると、CPU２８は、再生する番組（１つのＡＶファイルまたは複数の関連付けされたＡＶファイル）を選択する。CPU２８は、記録メディア３７から再生する番組のＡＶファイルを、記録媒体制御部３６を制御して読み出させ、これを、データバス２４を介してRAM３０に転送する。このとき、再生が指令された番組が、複数の関連付けされたＡＶファイルから構成される場合、CPU２８は、先頭のＡＶファイルＦ（ｍ）（ｍはｎ以上の任意の自然数、例えば、ＡＶファイルＦ（１））を、記録媒体制御部３６を制御して読み出させ、RAM３０に転送し、展開する。
【００６４】
デコーダ３８は、CPU２８からの制御に基づいて、RAM３０に展開されているＡＶファイルデータと、ＡＶファイルデータを構成する画像および音声データの配置情報等のデータとを、データバス２４を介して取り込み、デコードすることで画像データと音声データを取得（復元）する。デコーダ３８は、取得した画像データと音声データとを、データバス２４を介してRAM３０に格納させる。復元された画像データと音声データとは、ＡＶファイルデータを構成する画像および音声データの配置情報等のデータに基づき、CPU２８からの制御による所定のタイミングでRAM３０から読み出され、画像データは表示制御部３２に供給され、音声データは、音声出力制御部３４に供給される。表示制御部３２は、供給された画像データを、表示部３３が表示可能な信号に変換し、変換した信号に基づく画像を表示部３３に表示させる。また、音声出力制御部３４は、供給された音声データを、音声出力部３５が出力可能な信号に変換し、変換した信号に基づく音声を、音声出力部３５から出力させる。
【００６５】
そして、RAM３０に読み出されたＡＶファイルの再生が終了した場合、関連付けされているＡＶファイルがある場合、すなわち、再生の指令がなされた番組が複数のＡＶファイルにより構成されており、まだ全てのＡＶファイルを再生し終えていない場合、CPU２８は、続きのＡＶファイルＦ（ｍ＋１）（例えば、ＡＶファイルＦ（２））をRAM３０に読み出し、そのＡＶファイルＦ（ｍ＋１）の再生を開始する。
【００６６】
このように、再生を行う機器（この例の場合は、同じ記録再生装置１１である）の制約に伴って、一度に録画する番組のＡＶファイルの容量に制限を設けている場合であっても、番組を、複数のＡＶファイルに分割して記録するようにし、各ＡＶファイルに識別データを付与するようにしたので、ユーザは、１回の録画の指令だけで番組を録画することができる。
【００６７】
また、再生時には、分割されたＡＶファイルを関連付けし、１つの番組として連続して再生するようにしたので、再生が一旦中断されることなく、１つの番組として再生することができる。
【００６８】
図２は、図１のCPU２８の機能的構成例を示すブロック図である。
【００６９】
図２のCPU２８には、主制御部７１、残量判定部７２、計時部７３、識別データ付与部７４、および関連付け処理部７５が設けられており、CPU２８の内部では、それぞれデータの授受が可能である。
【００７０】
主制御部７１は、CPU２８にデータバス２４を介して接続される各部を制御したり、データバス２４を介して接続される各部により実行された処理結果を取得したりする。また、主制御部７１は、残量判定部７２、計時部７３、識別データ付与部７４、および関連付け処理部７５の各部に処理を実行させたり、各部により実行された処理結果に基づいて、所定の処理を実行したりする。
【００７１】
残量判定部７２は、データバス２４および記録媒体制御部３６（図１）を介して、記録メディア３７の記録容量の残量を判定する。例えば、残量判定部７２は、記録メディア３７に、まだ記憶容量が残っているか否かを判定する。
【００７２】
計時部７３は、時刻を計時する。例えば、計時部７３は、１つのＡＶファイルに含まれるＡＶファイルデータの記録メディア３７への記録が開始されてからの時間を計時する。
【００７３】
識別データ付与部７４は、記録するＡＶファイルが、分割されたＡＶファイルであることと、分割されたＡＶファイルの順番とを示す識別データを、ＡＶファイルデータに付与する。識別データ付与部７４は、例えば、１つの番組を、複数のＡＶファイルに分けて記録するような場合に、識別データをＡＶファイルデータに付与する。
【００７４】
関連付け処理部７５は、記録メディア３７に記録された複数のＡＶファイルのうち、識別データが付与されているＡＶファイルについて、それぞれに付与されている識別データに示される順番に従って、複数のＡＶファイルを関連付けする。
【００７５】
ここで、識別データが付与されるＡＶファイルの簡単なデータ構造の例を、図３を参照して説明する。
【００７６】
図３に示されるように、ＡＶファイル９０には、ヘッダ領域９１、ＡＶファイルデータ領域９２、およびその他のデータ領域９３が設けられている。ヘッダ領域９１には、ＡＶファイルに関するデータ（例えば、番組のメタデータなど）が書き込まれる。本実施の形態においては、ヘッダ領域９１に、識別データ１０１（識別データ付与部７４により付与される識別データ）が書き込まれる。ＡＶファイルデータ領域９２には、画像データと音声データを少なくとも含むＡＶファイルデータが書き込まれる。例えば、ＡＶファイルデータ領域９２には、実際に放送されている番組（音声と動画像）の実データが書き込まれる。その他のデータ領域９３には、ＡＶファイルを構成する画像および音声データの配置情報等のデータが書き込まれる。このように、ＡＶファイル９０が分割されたことを示すとともに、複数の分割されたＡＶファイルのうちの順番を示す識別データ１０１は、ＡＶファイル９０のヘッダ領域９１に書き込まれる。
【００７７】
次に、図４と図５のフローチャートを参照して、図１（および図２）の記録再生装置１１における録画処理（記録処理）について説明する。なお、この処理は、記録再生装置１の電源がオンされた場合に開始される。
【００７８】
ステップＳ１１において、CPU２８は、ユーザにより録画開始が指令されたか否かを判定し、録画開始が指令されるまで処理を待機する。具体的には、CPU２８の主制御部７１は、ユーザによる録画開始の指令が操作入力部２９に入力されたか否かを判定し、録画開始の指令が入力されるまで処理を待機する。
【００７９】
ステップＳ１１において、ユーザにより録画開始が指令されたと判定された場合、処理はステップＳ１２に進み、CPU２８は、録画を開始する。このとき、例えば、映像信号入力部２１に入力された映像信号が、Ａ／Ｄ変換部２２によりＡ／Ｄ変換され、ディジタルの映像信号が映像信号処理部２３に供給されているとともに、音声信号入力部２５に入力された音声信号が、Ａ／Ｄ変換部２６によりＡ／Ｄ変換され、ディジタルの音声信号が音声信号処理部２７に供給されているので、CPU２８の主制御部７１は、データバス２４を介して映像信号処理部２３と音声信号処理部２７に各種の処理を実行させ、その処理により得られた画像データと音声データをRAM３０に一時記憶させる。具体的には、CPU２８の主制御部７１は、映像信号処理部２３に、映像信号に含まれる同期信号をトリガとして、映像信号を指定するタイミングによりフレームまたはフィールド単位（所定の画像単位）で取り込ませ、画像データとして、データバス２４を介してRAM３０に記憶させる。また、同時にCPU２８は、音声信号処理部２７に、指定するサンプリング周期により音声信号を取り込ませ、音声データとして、データバス２４を介してRAM３０に記憶させる。さらに、CPU２８の主制御部７１は、RAM３０に記憶された画像データを音声データとをエンコーダ３１にエンコードさせ、エンコードされた結果のＡＶファイルデータを、データバス２４を介して再びRAM３０に格納させる。同時に、CPU２８の主制御部７１は、ＡＶファイルデータを構成する画像および音声データの配置情報等を示すデータを同時に生成し、RAM３０に格納する。そして、CPU２８の主制御部７１は、RAM３０に格納されたＡＶファイルデータが一定のサイズに達すると、記録媒体制御部３６を制御して、記録メディア３７へＡＶファイルデータを書き込ませる。具体的には、記録メディア３７上において、上述した図３のＡＶファイルデータ領域９２にＡＶファイルデータが書き込まれる。このようにして、記録メディア３７へのＡＶファイルデータの書き込み（録画）が開始される。なお、このとき、CPU２８の計時部７３は、録画が開始されてから（記録メディア３７にＡＶファイルデータが書き込まれ始めてから）の時間の計時を開始する。また、実際には、ヘッダ領域９１に、識別データ１０１（図３）以外のデータ（メタデータ）も書き込まれるが、本発明とは直接関係がないため、その説明は省略する。
【００８０】
ステップＳ１３において、CPU２８の識別データ付与部７４は、ｍ＝１とする。このｍの値は、１度の記録（録画）処理で複数のＡＶファイルに分けて記録する場合の、記録するＡＶファイルの順番を示す値である。すなわち、分割したＡＶファイルを複数記録する場合に、そのＡＶファイルの順番を示す値がｍで示される。
【００８１】
ステップＳ１４において、CPU２８は、データバス２４と記録媒体制御部３６を介して、記録メディア３７にＡＶファイルデータを記録するための残量（記憶領域）がまだあるか否かを判定する。残量があると判定された場合、処理はステップＳ１５に進み、CPU２８は、ユーザにより録画停止が指令されたか否かを判定する。具体的には、CPU２８の主制御部７１は、ユーザによる録画停止の指令が操作入力部２９に入力されたか否かを判定する。
【００８２】
ステップＳ１４において残量がないと判定された場合、またはステップＳ１５において録画停止が指令されたと判定された場合、処理はステップＳ１６に進む。ステップＳ１６において、CPU２８は録画を停止する。例えば、CPU２８の主制御部７１は、データバス２４を介して各部に録画の停止を指令する。これにより、映像信号処理部２３、音声信号処理部２７、RAM３０、エンコーダ３１、および記録媒体制御部３６による録画（記録）処理は停止される。なお、記録メディア３７に残量がないと判定された場合、残量がないことをユーザに通知する画面を表示部３３に表示させるようにしてもよい。
【００８３】
ステップＳ１７において、CPU２８は、ＡＶファイルをクローズする。これにより、１つのＡＶファイルの記録（録画）が完了したことになる。具体的には、CPU２８の主制御部７１は、ＡＶファイルデータを、１つのＡＶファイルとして完結するために、まだ書き込まれていないデータを記録メディア３７に書き込ませるよう記録媒体制御部３６を制御する。例えば、CPU２８の主制御部７１は、図３のその他のデータ領域９３に、ＡＶファイルデータを構成する画像および音声の配置情報等のデータ書き込ませるよう制御する。これにより、１つのＡＶファイル（ＡＶファイル９０）が記録メディア３７に書き込まれたことになる。その後、処理は終了される。
【００８４】
一方、ステップＳ１５において、録画停止が指令されていないと判定された場合、処理はステップＳ１８に進み、CPU２８の計時部７３は、このＡＶファイルの記録を開始してから所定の制限時間が経過したか否かを判定する。１回目のステップＳ１８の処理では、CPU２８の計時部７３は、ステップＳ１２の処理で録画が開始されてから、所定の制限時間が経過したか否かを判定する。この所定の制限時間は、ＡＶファイルを再生する各種の再生装置が再生可能な条件（例えば、メモリサイズなどの条件）によって、記録再生装置１１にあらかじめ設定されている。例えば、所定の制限時間は２時間（放送される番組２時間分）とされる。この場合、１回目のステップＳ１５の処理においては、CPU２８の計時部７３は、ステップＳ１２の処理で録画が開始されてから２時間が経過したか否かを判定する。なお、２回目以降の処理では、（分割された）次のＡＶファイルのＡＶファイルデータの記録メディア３７への書き込みを開始してからの時間（例えば、後述するステップＳ２２の処理の後からの時間）が、所定の制限時間を超えたか否かが判定される。また、この処理は、番組を複数のＡＶファイルに分割するか否かを判定する処理と等価である。
【００８５】
ステップＳ１８において、制限時間が経過していないと判定された場合、処理はステップＳ１４に戻り、それ以降の処理が繰り返される。すなわち、記録メディア３７にデータを記録する残量がある状態であって、録画の停止が指令されていない状態で、ＡＶファイルデータの記録時間（このＡＶファイルの記録を開始してからの記録時間）が、一定の制限時間だけ経過するまで録画が続けられる。
【００８６】
ステップＳ１８において、このＡＶファイルの記録を開始してから所定の制限時間が経過したと判定された場合、処理はステップＳ１９に進み、CPU２８は録画を停止する。例えば、CPU２８の主制御部７１は、データバス２４を介して各部に録画の停止を指令する。これにより、映像信号処理部２３、音声信号処理部２７、RAM３０、エンコーダ３１、および記録媒体制御部３６による録画（記録）処理は停止される。
【００８７】
ステップＳ２０において、CPU２８は、ＡＶファイルをクローズする（処理の詳細は、ステップＳ１７と同様）。これにより、１つのＡＶファイルの記録（録画）が完了したことになる。１回目のステップＳ２０の処理では、一度の録画の指令により分割されて記録されるＡＶファイルのうち、１番目のＡＶファイルの記録が完了したことになる。なお、このとき、記録されるＡＶファイルには、識別データが付与されていない。これにより、例えば、図６のＡＶファイル９０−１に示されるようなＡＶファイルが記録メディア３７に記録されたことになる。
【００８８】
図６のＡＶファイル９０−１は、１回目のステップＳ２０までの処理により記録されたＡＶファイルを示している。すなわち、１回目のステップＳ２０までの処理では、識別データが付与されていないＡＶファイル９０−１が記録メディア３７に記録されている。図６のＡＶファイル９０−１には、ヘッダ１２１−１、ＡＶファイルデータ１２２−１、その他のデータ１２３−１が含まれている。ここで、ヘッダ１２１−１、ＡＶファイルデータ１２２−１、および、その他のデータ１２３−１は、図３のヘッダ領域９１、ＡＶファイルデータ領域９２、およびその他のデータ領域９３にそれぞれ対応している（以下のＡＶファイル９０−２乃至９０−４も同様）。
【００８９】
ステップＳ２１において、CPU２８は、ユーザにより録画停止が指令されたか否かを判定する。具体的には、CPU２８の主制御部７１は、ユーザによる録画停止の指令が操作入力部２９に入力されたか否かを判定する。
【００９０】
ステップＳ２１において、録画停止が指令されていないと判定された場合、処理はステップＳ２２に進み、CPU２８は、次のファイルへの録画を開始する。具体的には、ステップＳ２１までの処理により、いままで記録していたＡＶファイルデータのＡＶファイル（ＡＶファイルデータ１２２−１のＡＶファイル９０−１）がクローズされたので、CPU２８の主制御部７１は、次のＡＶファイル（ＡＶファイル９０−２）へのＡＶファイルデータの記録を開始する。また、CPU２８の計時部７３は、いままで計時していた値をクリア（消去）し、次のＡＶファイルへのＡＶファイルデータの記録を開始してからの時間の計時を開始する。１回目のステップＳ２２の処理では、CPU２８の主制御部７１は、２番目のＡＶファイルのＡＶファイルデータの記録（録画）を開始する。録画開始についての処理の詳細は、上述した図４のステップＳ１２の処理と同様であるので、その説明は省略する。図６の例の場合、ＡＶファイル９０−２のＡＶファイルデータ１２２−２の書き込みが開始される。
【００９１】
ステップＳ２３において、CPU２８の識別データ付与部７４は、ｍ＝ｍ＋１とする。１回目のステップＳ２３の処理では、上述した図４のステップＳ１３の処理でｍ＝１とされているので、CPU２８の識別データ付与部７４は、ｍ＝１＋１＝２とする。すなわち、CPU２８の識別データ付与部７４は、１度の記録（録画）処理で、複数のＡＶファイルに分けて記録する場合の、いまＡＶファイルデータを記録しているＡＶファイルの順番を示す値ｍを２とする。
【００９２】
ステップＳ２４において、CPU２８の識別データ付与部７４は、ｍ回目情報を、識別データとして付与する。１回目のステップＳ２４の処理の場合、図６のＡＶファイル９０−２のヘッダ１２１−２に、分割されて記録されるＡＶファイルがｍ回目に記録されるものであることを示す情報（ｍ番目のＡＶファイルであることを示す情報）が、識別データ１３１−２として書き込まれる。これにより、１度の記録処理で、番組が複数のＡＶファイルに分割されて記録される場合、２番目以降に記録されるＡＶファイルには、識別データが付与されることになる。なお、このとき、識別データが付与されない先頭のＡＶファイルの識別をより容易とするために、２番目のＡＶファイルの識別データの中に、先頭のＡＶファイルのファイル名やファイルに関連する情報を含ませるようにしてもよい。このように、ＡＶファイルのヘッダに識別データが記録されている場合、そのＡＶファイルが分割されたファイルであることとを示していることになる。また、ＡＶファイルのヘッダの識別データに基づいて、分割されたＡＶファイルの順番を確認することができる。
【００９３】
ステップＳ２４の処理の後、処理はステップＳ１４に戻り、それ以降の処理が繰り返される。具体的には、ステップＳ１４で、記録メディア３７にＡＶファイルデータを記録するための残量（データ領域）がまだあるか否かが判定され、残量があるとされた場合、ステップＳ１５で、ユーザにより録画停止が指令されたか否かが判定される。録画停止が指令されていないと判定された場合、ステップＳ１８で、このＡＶファイルの記録を開始してから所定の制限時間が経過したか否かが判定される。２回目のステップＳ１８の処理では、ステップＳ２２の処理で次のＡＶファイルへのＡＶファイルデータの書き込み（録画）が開始されてから所定の制限時間が経過したか否かが判定される。このように、一度の記録処理により記録される番組が、複数のＡＶファイルに分割されて記録される場合には、いま記録されているＡＶファイルの記録（録画）が開始されてからの時間が制限時間を超えたか否かが判定される。
【００９４】
このステップＳ１８で、制限時間が経過したと判定された場合、２番目のＡＶファイルもクローズする必要があるので、処理はステップＳ１９に進み、録画が停止され、ステップＳ２０で、ＡＶファイルがクローズされる。これにより、図６の例の場合、ＡＶファイル９０−２の記録が完了されたことになる。そして、２回目のステップＳ２１で、録画停止が指令されていない場合、処理はステップＳ２２に進み、次のＡＶファイルへのＡＶファイルデータの記録（録画）が開始され、これとともに、CPU２８の計時部７３による計時が開始され、ステップＳ２３でｍ＝ｍ＋１、すなわちｍ＝２＋１＝３とされ、ステップＳ２４で、３回目情報が、識別データとして、新たに録画が開始されたＡＶファイルデータに付与される。このような処理が繰り返し実行されることで、図６のＡＶファイル９０−３とＡＶファイル９０−４が記録される。
【００９５】
一方、ステップＳ２１において、録画停止が指令されたと判定された場合、既に録画は停止され（ステップＳ１９）、クローズ処理も行われた後（ステップＳ２０）であるので、処理は終了される。例えば、ステップＳ２０の処理が１回のみ行なわれた場合に、ステップＳ２１の処理でYESと判定されたとき、記録メディア３７には、図６のＡＶファイル９０−１のみが記録されたことになる。すなわち、１回の記録（録画）処理により、１つのＡＶファイル（分割されていないＡＶファイル）が記録されたことになる。また、例えば、図５のステップＳ２４などの処理が３回実行された場合に、ステップＳ２１の処理でYESと判定されたとき、記録メディア３７には、図６に示されるように、ＡＶファイル９０−１乃至９０−４が記録されたことになる。
【００９６】
図４と図５の処理によれば、ユーザにより録画開始が指令された場合（ステップＳ１１）、録画の制限時間を超えたときには、番組を複数のＡＶファイルに分割して記録メディア３７に記録するようにしたので、ユーザは、１回の録画開始の指令だけで、制限時間を超えた番組を録画することができる。
【００９７】
また、１つの番組を、複数のＡＶファイルに分割して記録する場合に、２番目以降に記録されるＡＶファイルに、そのファイルが分割されていることと、そのファイルの順番とを示す識別データを付与するようにしたので、分割されたファイルの順番を容易に識別することができる。
【００９８】
次に、図７のフローチャートを参照して、図１（と図２）の記録再生装置１１における再生処理について説明する。なお、この処理は、図４と図５の処理の後に実行される処理である。すなわち、この処理は、記録メディア３７に、１つの録画処理で分割されたＡＶファイルが記録されている場合に実行される処理である。また、この処理は、ユーザが番組の再生を指令するために、再生する番組を選択するための番組選択画面の表示を指令したとき開始される。
【００９９】
ステップＳ４１において、CPU２８の主制御部７１は、再生対象となるファイルを検索する。具体的には、CPU２８の主制御部７１は、データバス２４を介して記録媒体制御部３６を制御し、記録メディア３７に記録されているファイルの中から、再生対象となるファイルを検索する。例えば、CPU２８の主制御部７１は、記録メディア３７に記録されているファイルの中から、MPEG４の形式でエンコードされたＡＶファイル（すなわち、図４と図５の処理で記録メディア３７に記録されたＡＶファイル）を検索する。CPU２８の主制御部７１は、例えば、図６のＡＶファイル９０−１乃至９０−４を検索結果として得る。
【０１００】
ステップＳ４２において、CPU２８の関連付け処理部７５は、再生対象となるファイルの中に、識別データが付与されているＡＶファイルがあるか否かを判定する。例えば、CPU２８の関連付け処理部７５は、検索結果として得られた複数のＡＶファイルのうち、識別データが付与されているＡＶファイルがあるか否かを判定する。識別データが付与されているＡＶファイルは、番組が分割されたＡＶファイルであることを示している。なお、分割されたＡＶファイルであっても、１番目に記録されたＡＶファイルである場合には、図４と図５の処理の場合、識別データが付与されていない。図６の例の場合、ＡＶファイル９０−２乃至９０−４のそれぞれに識別データ１３１−２乃至１３１−４が付与されているので、CPU２８の関連付け処理部７５はYESと判定する。
【０１０１】
ステップＳ４２において、識別データが付与されているＡＶファイルがあると判定された場合、処理はステップＳ４３に進み、CPU２８の関連付け処理部７５は、分割されているＡＶファイルを関連付けする。CPU２８の関連付け処理部７５は、ＡＶファイルＦ（ｍ−１）とＡＶファイルＦ（ｍ）（ｍは、２以上の自然数）とを順次関連付けする。例えば、図６に示されるようなＡＶファイル９０−１乃至９０−４が記録メディア３７に記録されていた場合、CPU２８の関連付け処理部７５は、ＡＶファイル９０−２乃至９０−４を関連付けする。そして、ＡＶファイル９０−２乃至９０−４に書き込まれている番組（ＡＶファイルデータ）に関連するデータ（例えば、ヘッダに書き込まれている番組のタイトルや、放送日時などの番組のメタデータ）に基づいて、ＡＶファイル９０−１をさらに関連付けする。なお、ＡＶファイル９０−２の識別データに、ＡＶファイル９０−１を関連付けするためのデータが含まれている場合には、CPU２８の関連付け処理部７５は、ＡＶファイル９０−２の識別データに基づいて、ＡＶファイル９０−２とＡＶファイル９０−１とを関連付ける。このとき、CPU２８の関連付け処理部７５は、ＡＶファイル９０−１、ＡＶファイル９０−２、ＡＶファイル９０−３、およびＡＶファイル９０−４の順番に、すなわち、識別データに含まれるＡＶファイルの順番（分割番号）に従って、ＡＶファイルを並べて関連付けする。これにより、ＡＶファイル９０−１乃至９０−４が、録画（記録）された順番に関連付けされたことになる。CPU２８の関連付け処理部７５は、これらの関連付けした複数のＡＶファイルを１つの番組（再生単位）と見なす。
【０１０２】
ステップＳ４２の処理で識別データが付与されているＡＶファイルがないと判定された場合、番組は複数のＡＶファイルに分割されて記録されているわけではないため、ステップＳ４３の処理（ＡＶファイルの関連付け処理）はスキップされる。
【０１０３】
ステップＳ４２において識別データが付与されているＡＶファイルがないと判定された場合、または、ステップＳ４３の処理の後、処理はステップＳ４４に進む。ステップＳ４４において、CPU２８は、データバス２４を介して表示制御部３２を制御し、表示部３３に、再生する番組を選択するための番組選択画面を表示させる。このとき、関連付け処理部７５により関連付けされた複数のＡＶファイルは１つの番組と見なされ、関連付けされていないＡＶファイルもまた１つの番組と見なされる。表示部３３は、表示制御部３２からの制御に基づいて、例えば、図８に示されるような番組選択画面を表示する。図８において、表示部３３には、「再生する番組を選択して下さい」という説明とともに、番組Ａまたは番組Ｂを選択するための画像が表示されている。ここで、番組Ａは、４つのＡＶファイル１４１−１乃至１４１−４により構成されており、番組Ｂは、２つのＡＶファイル１４２−１および１４２−２により構成されている。すなわち、番組Ａは、上述したステップＳ４３の処理により関連付けられて１つの番組として見なされたＡＶファイル１４１−１乃至１４１−４であり、番組Ｂもまた、ステップＳ４３の処理により関連付けられて１つの番組として見なされたＡＶファイル１４２−１および１４２−２である。ユーザは、表示部３３に表示されている番組選択画面を見て、番組Ａまたは番組Ｂを、再生する番組として選択する。
【０１０４】
なお、図８の例では、番組が複数のＡＶファイルに分割されていることを示すようにしているが、図９に示されるように、番組が複数のＡＶファイルに分割されていることを示さないようにしてもよい。図９の例の場合、表示部３３には、「再生する番組を選択して下さい」という説明とともに、番組Ａまたは番組Ｂを選択するための画像が表示されている。図９のような表示では、ユーザは、番組Ａまたは番組Ｂが複数のＡＶファイルにまたがって記録されていることを意識しないで済むという利点がある。一方、図８のような表示では、ユーザは、番組Ａまたは番組Ｂが複数のＡＶファイルにまたがって記録されていることを知ることができるという利点がある。この図８と図９の番組選択画面は、適宜、ユーザの操作により切り換え可能な構成としてもよい。ユーザは、図８または図９の番組選択画面を見て、再生する番組を選択するとともに、再生の開始を指令する。
【０１０５】
ステップＳ４５において、CPU２８の主制御部７１は、ユーザにより番組の選択とともに再生の開始が指令されたか否かを判定し、番組の選択とともに再生の開始が指令されるまで待機する。例えば、CPU２８の主制御部７１は、操作入力部２９に、図８または図９に表示された番組を選択する操作とともに、再生の開始を指令する操作が、ユーザにより入力されたか否を判定し、それらの操作が入力されるまで処理を待機する。
【０１０６】
ステップＳ４５において、番組の選択とともに再生の開始が指令されたと判定された場合、処理はステップＳ４６に進み、CPU２８の主制御部７１は、再生するＡＶファイルを指定する。例えば、図８や図９の番組選択画面において、番組Ａが選択された場合について説明する。番組Ａは、実際には、図８に示されるように、ＡＶファイル１４１−１乃至１４１−４により構成されており、ＡＶファイル１４１−１乃至１４１−４の順番に関連付けられている。そのため、CPU２８の主制御部７１は、番組Ａの先頭（１番目）のＡＶファイル１４１−１を、再生するＡＶファイルとして指定する。
【０１０７】
ステップＳ４７において、CPU２８の主制御部７１は、ステップＳ４６の処理で指定したＡＶファイルの再生を開始する。例えば、CPU２８の主制御部７１は、記録メディア３７から再生する番組として選択された番組ＡのＡＶファイル１４１−１を、記録媒体制御部３６を制御して読み出させ、これを、データバス２４を介してRAM３０に転送する。デコーダ３８は、CPU２８の主制御部７１からの制御に基づいて、RAM３０に展開されているＡＶファイル１４１−１のＡＶファイルデータを、データバス２４を介して取り込み、デコードすることで、画像データと音声データを取得（復元）する。デコーダ３８は、取得した画像データと音声データとを、データバス２４を介してRAM３０に格納させる。復元された画像データと音声データは、ＡＶファイルデータを構成する画像および音声データの配置情報等のデータに基づき、CPU２８からの制御による所定のタイミングでRAM３０から読み出され、画像データは表示制御部３２に供給され、音声データは、音声出力制御部３４に供給される。表示制御部３２は、供給された画像データを、表示部３３が表示可能な信号に変換し、変換した信号に基づく画像を表示部３３に表示させる。また、音声出力制御部３４は、供給された音声データを、音声出力部３５が出力可能な信号に変換し、変換した信号に基づく音声を、音声出力部３５から出力させる。このようにして、再生が開始される。
【０１０８】
ステップＳ４８において、CPU２８の主制御部７１は、再生しているＡＶファイルの終端まで再生したか否かを判定し、再生し終えるまで待機する。例えば、CPU２８の主制御部７１は、再生している番組ＡのＡＶファイル１４１−１のＡＶファイルデータの再生が終了したか否かを判定し、再生が終了するまで待機する。
【０１０９】
ステップＳ４８において、再生しているＡＶファイルの終端まで再生したと判定された場合、処理はステップＳ４９に進み、CPU２８の主制御部７１は、続いて再生するＡＶファイルがあるか否かを判定する。例えば、CPU２８の主制御部７１は、再生する番組として選択された番組が、１つのＡＶファイルのみに記録されている場合、すなわち、番組が分割されていない場合（番組が１つのＡＶファイルで記録された場合）、続いて再生するＡＶファイルはないと判定する。また例えば、番組ＡのＡＶファイル１４１−１の終端まで再生がし終えている場合、まだ番組Ａには、再生していないＡＶファイル１４１−２乃至１４１−４が残っているので、CPU２８の主制御部７１は、続いて再生するＡＶファイルがあると判定する。このように、CPU２８の主制御部７１は、続いて再生するＡＶファイルとして、いままで再生されていたＡＶファイルが、（ステップＳ４３の処理により）他のＡＶファイルに関連付けられているか否かにより、続いて再生するＡＶファイルがあるか否かを判定する。
【０１１０】
ステップＳ４９において、続いて再生するＡＶファイルがあると判定された場合、ステップＳ５０において、CPU２８の主制御部７１は、次に再生するＡＶファイルを指定する。再生する番組として番組Ａが選択された後の１回目のステップＳ５０の処理では、１回目のステップＳ４７でＡＶファイル１４１−１が再生されたので、CPU２８の主制御部７１は、次に再生するＡＶファイルとしてＡＶファイル１４１−２を指定する。
【０１１１】
その後、処理はステップＳ４７に戻り、それ以降の処理が繰り返される。具体的には、２回目のステップＳ４７でＡＶファイル１４１−２の再生が開始され、ステップＳ４８でＡＶファイル１４１−２の終端まで再生したと判定された場合、ステップＳ４９で、続いて再生するＡＶファイルがあると判定され、２回目のステップＳ５０では、次に再生されるＡＶファイルとしてＡＶファイル１４１−３が指定される。そして、３回目のステップＳ４７でＡＶファイル１４１−３の再生が開始される。このようにして、ＡＶファイル１４１−４の再生が終了するまで処理が繰り返される。
【０１１２】
そして、ステップＳ４８の処理でＡＶファイル１４１−４の再生が終了したと判定された場合、もう再生するＡＶファイルはないので（もう関連付けられているＡＶファイルはないので）、次のステップＳ４９では、続いて再生するＡＶファイルがないと判定され、処理はステップＳ５１に進む。
【０１１３】
ステップＳ５１において、CPU２８は再生を終了する。例えば、CPU２８の主制御部７１は、データバス２４を介して各部（表示制御部３２、音声出力制御部３４、記録媒体制御部３６、およびデコーダ３８など）を制御し、再生処理を終了させる。その後、処理は終了される。
【０１１４】
図７の処理により、番組が複数のＡＶファイルに分割されている場合であっても、識別データに基づいてＡＶファイルを関連付けし、１つの番組として連続して再生するようにしたので、再生が一旦中断されることなく、１つの番組として再生することができる。
【０１１５】
また、ユーザは、再生する番組を選択するだけで、複数に分割されたＡＶファイルを選択する必要がないので、簡単な操作で再生を指令することができる。
【０１１６】
なお、以上の例では、番組が複数のＡＶファイルに分割されて記録される場合、先頭（１番目）のＡＶファイルに識別データを付さないようにしたが、番組が複数のＡＶファイルに分割される場合には、先頭のＡＶファイルに、ｍ＝１を示す識別データを付与するようにしてもよい。このようにした場合、識別データが付されるＡＶファイルは、全て分割されたものであることを、記録再生装置１１が容易かつ迅速に識別することができる。また、記録処理（図４と図５）において、ＡＶファイルの順番による識別データの付与についての場合分けをする必要がなくなる。
【０１１７】
また、以上の例では、識別データ１０１（図３）に、番組が複数のＡＶファイルに分割される場合の順番（分割番号）を含めるようにしたが、図１０に示されるように、識別データ１０１に、分割番号１７１の他に、番組関連データ１７２をさらに加えるようにしてもよい。図１０の例の場合、番組関連データ１７１には、チャンネル１８１、番組タイトル１８２、および記録日時１８３が含まれる。チャンネル１８１は、その番組が放送されている放送局（チャンネル）を示し、番組タイトル１８２は、その番組のタイトル（番組名）を示し、記録日時１８３は、その番組が放送された日時を示している。なお、番組関連データ１７２として、図１０に示した、チャンネル１８１、番組タイトル１８２、および記録日時１８３の他に、さらに他のデータを含めるようにしてもよい。
【０１１８】
図１０に示されるように、識別データ１０１に、番組関連データ１７１を含める場合であって、先頭のＡＶファイルにも識別データが付与される場合の例を、図１１を参照して説明する。
【０１１９】
図１１において、図中１段目は、番組の放送開始から終了までを示しており、２段目には、記録再生装置１１における録画動作が示されている。また、横軸は時刻ｔとされている。なお、この録画動作の処理の流れは、図４と図５を用いて上述したものと同様である。
【０１２０】
具体的には、時刻ｔ０において、番組の放送が開始されると、図中２段目のＡＶファイルＦ（１）の録画が開始され、録画最大時間（制限時間）Ｔが経過すると、時刻ｔ１において、ＡＶファイルＦ（１）がクローズされ、図中下段のＡＶファイル１９１−１の記録が完了する。すなわち、図中２段目のＡＶファイルＦ（１）は、図中下段のＡＶファイル１９１−１に対応する、実際のＡＶファイルを示している（以下同様）。
【０１２１】
また、時刻ｔ１において、図中２段目のＡＶファイルＦ（２）の録画が開始され、録画最大時間（制限時間）Ｔが経過すると、時刻ｔ２において、ＡＶファイルＦ（２）がクローズされ、図中下段のＡＶファイル１９１−２の記録が完了する。また、同時にＡＶファイルＦ（３）の録画が開始され、録画最大時間（制限時間）Ｔが経過すると、時刻ｔ３において、ＡＶファイルＦ（３）がクローズされ、図中下段のＡＶファイル１９１−３の記録が完了する。そして、同時にＡＶファイルＦ（４）の録画が開始され、録画する番組の放送が終了した時刻ｔ４において、ファイルＦ（４）がクローズされ、図中下段のＡＶファイル１９１−４の記録が完了する。
【０１２２】
このとき、各ＡＶファイル１９１−１乃至１９１−４には、それぞれヘッダ２０１−１乃至２０１−４、ＡＶファイルデータ２０２−１乃至２０２−４、その他のデータ２０３−１乃至２０３−４が含まれている。また、各ヘッダ２０１−１乃至２０１−４には、それぞれ識別データ２１１−１乃至２１１−４が含まれている。識別データ２１１−１のｍの値は１であり、識別データ２１１−２のｍの値は２であり、識別データ２１１−３のｍの値は３であり、識別データ２１１−４のｍの値は４である。
【０１２３】
このように、放送される番組を録画する場合に、１度の番組の録画の指令で、記録再生装置１１が４つのＡＶファイル１９１−１乃至１９１−４に分割して記録メディア３７に記録するので、ユーザは、録画の指令を簡単に行うことができる。また、ユーザは、１度に連続して録画する時間の制限を意識せずに番組の録画を指令することができる。
【０１２４】
なお、ユーザが録画を指定した番組が、何らかの事情により、番組の途中に他の番組を挟んだ場合、記録再生装置１１が番組を複数のＡＶファイルに分割して記録するようにしてもよい。すなわち、連続して放送される番組が、連続して再生されない場合であっても、複数のＡＶファイルに分割して記録するようにしてもよい。すなわち、番組を複数のＡＶファイルに分割する条件は、制限時間（録画最大時間）だけに限らず、番組の中断などであってもよい。この場合の例を図１２を参照して説明する。なお、この録画動作の処理の流れは、図４と図５に示される処理と基本的に同様である。ただし、図４のステップＳ１８の処理で、「番組が中断されたか否か」の判定がCPU２８の主制御部７１によってさらに行われるとともに、図５のステップＳ２２の処理の前に「番組が再開されたか否か」の判定がCPU２８の主制御部７１によってさらに行われる。
【０１２５】
図１２の１段目は、ユーザにより録画予約された番組の放送予定時刻を示しており、放送予定時刻はｔ１０からｔ１３とされている。図１２の２段目は、実際の録画する番組の放送時間を示しており、時刻ｔ１１から時刻ｔ１２の間、他の番組が放送されている（意図しない番組が放送されている）。図１２の３段目は、記録再生装置１１が実行する録画動作を示している。
【０１２６】
時刻ｔ１０において、番組の放送が開始されると、図中３段目のＡＶファイルＦ（１）の録画が開始され、時刻ｔ１１において番組が中断されると（図中２段目）、記録再生装置１１はこれを検出し（例えば、放送される番組のメタデータなどにより番組の中断を検出し）、ファイルＦ（１）をクローズし、図中下段のＡＶファイル２３１−１の記録を完了させる。そして、時刻ｔ１２において番組の放送が再開されると、記録再生装置１１はこれを検出し（例えば、放送される番組のメタデータなどにより番組の中断を検出し）、図中３段目のＡＶファイルＦ（２）の録画を開始する。そして、時刻ｔ１４において、番組の放送が終了すると、記録再生装置１１はこれを検出し（例えば、放送予定時間から、中断された時間を減算したり、放送される番組のメタデータなどにより番組の終了を検出し）、ファイルＦ（２）をクローズし、図中下段のＡＶファイル２３１−２の記録を完了させる。このように、番組の変更などに応じて、番組を複数のＡＶファイルにわけて記録するようにしてもよい。これにより、再生時には、ＡＶファイル２３１−１と２３１−２とが関連付けられるので、実際の放送ではとぎれた番組であっても、連続して再生することができる。
【０１２７】
なお、図１２において、記録再生装置１１が録画動作を行っていない時間、すなわち、時刻ｔ１１から時刻ｔ１２の間に、他の番組を録画することも可能である。このようにした場合、例えば、図１３に示されるように、もともと録画が予約されていた番組ＡのＡＶファイル２３１−１および２３１−２の他に、時刻ｔ１１から時刻ｔ１２の間に放送された番組ＢのＡＶファイル２５１が記録される。ここで、ＡＶファイル２３１−１および２３１−２と、ＡＶファイル２５１とは、識別データのタイトルやチャンネルが異なるものとされている。
【０１２８】
さらに、図１１までの例では、連続して放送される番組を複数のＡＶファイルに分割して記録する場合について説明したが、例えば、ドラマなどのように、シリーズ番組として録画されるＡＶファイルを、識別データを用いて関連付けるようにしてもよい。この場合の例を、図１４を参照して説明する。
【０１２９】
図１４において、ユーザにより、番組（ドラマ）のシリーズ１話からシリーズｎ話までの録画が予約されたとする。記録再生装置１１は、予約録画時に、番組がシリーズで予約されたことを、例えば、EPG（Electronic Program Guide）などにより検出する（同じチャンネルで同じ曜日の同じ時間帯に録画予約された場合に、これをシリーズとして検出するようにしてもよい）。なお、この録画動作の処理の流れは、図４と図５に示される処理と基本的に同様である。ただし、図４のステップＳ１８の処理で、「シリーズものの番組であるか否か」の判定がCPU２８の主制御部７１によってさらに行われるとともに、図５のステップＳ２２の処理の前に「シリーズものの番組として録画した番組と同じシリーズの続きの番組であるか否か」の判定がCPU２８の主制御部７１によってさらに行われる。
【０１３０】
図中１段目に示されるように、シリーズ１話が放送されると、記録再生装置１１は、図中２段目に示されるように、ＡＶファイルＦ（１）の録画を行ない、図中下段に示されるように、ＡＶファイル３３０−１の記録を完了させる。また、シリーズ２話が放送されると、記録再生装置１１は、ＡＶファイルＦ（２）の録画を行ない、図中下段に示されるように、ＡＶファイル３３０−２の記録を完了させる。このような処理が、シリーズｎ話（最終話）の録画が完了されるまで繰り返され、結果として、ＡＶファイル３３０−１乃至３３０−ｎが記録メディア３７に記録される。このとき、図中下段に示されるように、ＡＶファイル３３０−１乃至３３０−ｎのそれぞれには、識別データが含まれているとともに、各識別データには、分割番号が含まれている。これにより、識別データに基づいて、放送された順番にＡＶファイルを並べて再生することが可能となるので、ユーザは、一度の再生の指令で、１つのシリーズの複数の番組の連続再生を指令することができる。すなわち、同じシリーズの、複数の番組を１つの再生単位としてまとめることが可能となる。
【０１３１】
なお、コピー制御情報が放送される番組に付与されている場合に、分割するように分割条件を設けてもよい。例えば、ユーザにより録画が指令された番組に、コピー制御情報（コピーを禁止したり、許可したりする情報）などが付与されており、かつ、番組の中でコピー制御情報によるコピーの制限される状態が変化する場合の例を、図１５を参照して説明する。すなわち、コピーが制限され、制限される状態が変化する番組を録画する場合の例を、図１５を参照して説明する。
【０１３２】
図１５の１段目は、ユーザにより録画が指令された番組の放送時刻を示しており、図１５の２段目は、その番組のコピー制御情報を示している。すなわち、時刻ｔ２０から時刻ｔ２１においては、コピーFreeであるが（コピー制限が設けられていないが）、時刻ｔ２１から時刻ｔ２３においては、コピーNeverとされており（コピー禁止とされており）、時刻ｔ２３から時刻ｔ２４においては、コピーOnceとされている（コピーは１回のみ許可とされている）。
【０１３３】
時刻ｔ２０において、番組の放送が開始されると、図中３段目のＡＶファイルＦ（１）の録画が開始され、時刻ｔ２１においてコピーが禁止されると記録再生装置１１はこれを検出し（例えば、放送されている番組のコピー制御情報に基づいてコピーが禁止されていることを検出し）、ファイルＦ（１）をクローズし、図中下段のＡＶファイル３８１−１の記録を完了させる。このとき、記録再生装置１１は、ＡＶファイル３８１−１に示されるように、識別データに、コピーが可能であることを示すデータを付与する。そして、時刻ｔ２３において、コピーの禁止の制限が解除されると、図中３段目のＡＶファイルＦ（２）の録画が開始され、時刻ｔ２４において番組の放送が終了すると、記録再生装置１１はファイルＦ（２）をクローズし、図中下段のＡＶファイル３８１−２の記録を完了させる。このとき、ＡＶファイル３８１−２は、既に記録メディア３７へのコピーを１回行ってしまったため、これ以上コピーを行うことができない。そのため、記録再生装置１１は、ＡＶファイル３８１−２に示されるように、識別データに、コピー禁止であることを示すデータを付与する。このように、コピー制御情報の変化に伴って、ＡＶファイルを分割することができる。また、このような場合であっても、ＡＶファイル３８１−１とＡＶファイル３８１−２とを関連付けることが可能であるので、２つのＡＶファイルを、連続して再生することができる。
【０１３４】
さらに、このように、ＡＶファイルデータを記録しているときに、番組のコピーの制限される状態が変化する場合に、コピーの制限される状態が変化する箇所で、番組を複数のＡＶファイルに分割して記録するようにし、分割して記録する複数のＡＶファイルに付与する識別データに、コピーを制限するデータをさらに含めるようにしたので、番組の中においてコピーが制御されていない箇所を、ＡＶファイルに記録することができる。
【０１３５】
なお、以上の例においては、記録処理（図４と図５）および再生処理（図７）の両方を実行する記録再生装置１１（図１）について説明したが、記録処理（図４と図５）のみを実行する記録装置と、再生処理（図７）のみを実行する再生装置とを別々に設けるようにしてもよい。
【０１３６】
記録処理のみを実行する記録装置の場合、その構成例は、図１６に示されるようになる。図１６の記録装置４０１において、図中、図１と対応する部分については同一の符号を付してあり、その説明は繰り返しになるので省略する。図１６を図１と比較すると明らかなように、図１６は、図１から音声出力制御部３４、音声出力部３５、およびデコーダ３８を削除したものとされている。なお、図１６において、表示部３３は、再生するＡＶファイルを表示するためではなく、ユーザが番組の録画を指令するための画面などを表示するために用いられるものである。また、図１６におけるCPU２８の機能的構成例は、上述した図２の機能的構成例を示すブロックから、関連付け処理部７５を削除したものとされる。記録装置４０１は、上述した図４と図５の処理を実行することで、記録メディア３７に、番組を複数のＡＶファイルに分割して記録する。
【０１３７】
また、再生処理のみを実行する再生装置の場合、その構成例は、図１７に示されるようになる。図１７の再生装置４５１において、図中、図１と対応する部分については同一の符号を付してあり、その説明は繰り返しになるので省略する。図１７を図１と比較すると明らかなように、図１７は、図１から映像信号入力部２１、Ａ／Ｄ変換部２２、映像信号処理部２３、音声信号入力部２５、Ａ／Ｄ変換部２６、音声信号処理部２７、およびエンコーダ３１を削除したものとされている。なお、図１７におけるCPU２８の機能的構成例は、上述した図２の機能的構成例を示すブロックから、残量判定部７２、計時部７３、および識別データ付与部７４を削除したものとされる。再生装置４５１は、上述した図７の処理を実行することで、記録メディア３７に記録されている、分割されて記録された複数のＡＶファイルを関連付けて、１つの再生単位として連続して再生することができる。
【０１３８】
以上のように、番組を、所定の条件に基づいて、複数のＡＶファイルに分割して記録するようにしたので、番組の記録や再生を円滑に行うことができる。
【０１３９】
例えば、再生装置側の制約に伴う、１度の録画処理における制限時間が設定されている場合、その制限時間を超える録画操作に対しても、記録再生装置１１側で、複数のＡＶファイルに分けて記録するので、ユーザの操作を煩雑にすることなく、所望する番組を録画することができる。
【０１４０】
また、再生時には、分割して記録した複数のＡＶファイルを、識別データに基づいて順番に関連付けるようにしたので、再生が一時中断されることを回避することができる。
【０１４１】
さらに、記録再生装置１１は、１つのＡＶファイルへの書き込み（録画）が開始されてからの経過時間が最大録画時間（制限時間）を超えた場合に、一旦録画を停止し（図４のステップＳ１９）、その続きを別のＡＶファイルとして録画を再開する（例えば、図５のステップＳ２２）ことで、ユーザは、機器の最大録画可能時間の制限を意識せずに、一度の録画操作で所望の番組をＡＶファイルとして記録メディア３７に記録させることが可能となり、機器のシステム的な制約により、ユーザの意図しないタイミングで録画が終了してしまうなどの問題を防止することができる。
【０１４２】
また、記録再生装置１１は、再生時に、分割されて記録されたＡＶファイルの存在を、識別データに基づいて検出し、連続して再生するようにしたので、ユーザに、再生されている番組のＡＶファイルが分割されて成り立っていることや、関連するＡＶファイルが複数存在することなどを意識させずに再生することができる。
【０１４３】
さらに、再生装置側の制約を考えて、所定の条件のもと、番組を複数のＡＶファイルに分割して記録するようにしたので、再生装置は、再生に必要な情報としてあらかじめメモリに取り込む情報量が、自分自身の能力を超えることもなく、また、必要な情報量が再生用に使用可能なメモリ容量を超えてしまうなどの再生不能な状態とならずに、円滑に再生を行うことができる。また、同じＡＶファイルを再生対象とする他の再生装置との再生互換性を確保することもできる。例えば、図４や図５の処理により記録メディア３７に記録された、番組が分割された複数のＡＶファイルを、図７の処理を実行しない再生装置が再生する場合、識別データが読み込まれないので（または識別データはプライベートデータとして無視されるので）、単に、複数のＡＶファイルの中から、再生するＡＶファイルが選択されて再生される。この場合、関連付けや連続再生は行われないが、対応していない再生装置であっても、十分に再生を行うことができる。
【０１４４】
なお、再生時において、分割されたＡＶファイル（例えば、ＡＶファイルＦ（ｍ））の再生終了後（図７のステップＳ４８でYESと判定された場合）、続きのＡＶファイル（例えば、ＡＶファイルＦ（ｍ＋１））が存在する場合、ステップＳ５０の処理を経て、記録再生装置１１が自動的に続きのＡＶファイル（例えば、ＡＶファイルＦ（ｍ＋１））を再生するようにしたが、ユーザに、続きのＡＶファイルがあることを通知して、ＡＶファイル（例えば、ＡＶファイルＦ（ｍ＋１））の再生を、続けて行うか否かを確認するようにしてもよい。この場合、図７のステップＳ４９でYESと判定された後に、ユーザに、続きのＡＶファイルを再生するか否かを指令させ、続きのＡＶファイルを再生すると指令された場合には、処理をステップＳ５０に進め、続きのＡＶファイルを再生しないと指令された場合には、処理をステップＳ５１に進めるようにする。
【０１４５】
なお、以上の例では、ＡＶファイルの一部に、分割を識別するための識別データを付与するようにしたが、単純にファイル名やフォルダ名を使用して分割情報を付与するようにしてもよい。
【０１４６】
なお、ＡＶファイルの分割のタイミングは、ＡＶファイルの記録時間が所定の制限時間を超えた場合（図４のステップＳ１８の判定）に限らず、エンコーダがエンコードしたデータの累計が一定のファイルサイズを超過した場合を分割条件としてもよい。すなわち、１つのＡＶファイルに含めるＡＶファイルデータのデータ量が所定の閾値を超えた場合に、複数のＡＶファイルに分割すると判定するようにしてもよい。また、記録メディア３７の残量不足や、無信号状態（映像信号入力部２１や音声信号入力部２５へ入力される信号状態）の検出などを、分割条件に含めるようにしてもよい。
【０１４７】
また、将来的にシステムやメモリ制約等により、更に厳しい再生条件を持った再生装置が発売された場合にも対応できるように、録画中のＡＶファイルの分割条件を、ユーザが変更可能な構成としてもよい。この場合、例えば、図１の操作入力部２９がユーザからの条件の設定を受け付け、CPU２８の主制御部７１が、ユーザにより設定された条件に基づいて、番組を複数のＡＶファイルに分割するか否かを判定する。
【０１４８】
なお、以上の例では、番組が、画像データと音声データからなるＡＶファイルデータを含むＡＶファイルにより構成されるようにしたが、少なくとも画像データ（動画像データ）を含む動画像ファイルにより番組が構成されるようにしてもよい。
【０１４９】
また、以上の例では、ＡＶファイルを記録するメディアを記録メディア３７としたが、各種のデータを記録することが可能な記録媒体であれば、どのようなものであってもよい。
【０１５０】
さらに、以上の例では、MPEG４の符号化方式に基づいてエンコードされたＡＶファイルについて説明したが、符号化方式はMPEG４に限定されず、画像データや音声データを符号化する方式であれば、他の符号化方式であってもよい。
【０１５１】
上述した一連の処理は、ハードウエアにより実行させることもできるし、ソフトウエアにより実行させることもできる。この場合、上述した処理は、図１８に示されるようなパーソナルコンピュータ５００により実行される。
【０１５２】
図１８において、CPU５０１は、ROM５０２に記憶されているプログラム、または、記憶部５０８からRAM５０３にロードされたプログラムに従って各種の処理を実行する。RAM５０３にはまた、CPU５０１が各種の処理を実行する上において必要なデータなどが適宜記憶される。
【０１５３】
CPU５０１、ROM５０２、およびRAM５０３は、内部バス５０４を介して相互に接続されている。この内部バス５０４にはまた、入出力インターフェース５０５も接続されている。
【０１５４】
入出力インターフェース５０５には、キーボード、マウスなどよりなる入力部５０６、CRT，LCDなどよりなるディスプレイ、スピーカなどよりなる出力部５０７、ハードディスクなどより構成される記憶部５０８、並びに、モデム、ターミナルアダプタなどより構成される通信部５０９が接続されている。通信部５０９は、電話回線やCATVを含む各種のネットワークを介しての通信処理を行う。
【０１５５】
入出力インターフェース５０５にはまた、必要に応じてドライブ５１０が接続され、磁気ディスク、光ディスク、光磁気ディスク、あるいは半導体メモリなどによりなるリムーバブルメディア５２１が適宜装着され、それから読み出されたコンピュータプログラムが、必要に応じて記憶部５０８にインストールされる。
【０１５６】
一連の処理をソフトウエアにより実行させる場合には、そのソフトウエアを構成するプログラムが、ネットワークや記録媒体からインストールされる。
【０１５７】
この記録媒体は、図１８に示されるように、コンピュータとは別に、ユーザにプログラムを提供するために配布される、プログラムが記録されているリムーバブルメディア５２１よりなるパッケージメディアにより構成されるだけでなく、装置本体に予め組み込まれた状態でユーザに提供される、プログラムが記録されているROM５０２や記憶部５０８が含まれるハードディスクなどで構成される。
【０１５８】
なお、本明細書において、コンピュータプログラムを記述するステップは、記載された順序に従って時系列的に行われる処理はもちろん、必ずしも時系列的に処理されなくとも、並列的あるいは個別に実行される処理をも含むものである。
【図面の簡単な説明】
【０１５９】
【図１】本発明を適用した記録再生装置の構成例を示すブロック図である。
【図２】図１のCPUの機能的構成例を示すブロック図である。
【図３】ＡＶファイルのデータ構造の例を示す図である。
【図４】図１の記録再生装置における録画処理を説明するフローチャートである。
【図５】図１の記録再生装置における録画処理を説明するフローチャートである。
【図６】図１の記録メディアに記録されるＡＶファイルの例を説明する図である。
【図７】図１の記録再生装置における再生処理を説明するフローチャートである。
【図８】表示部に表示される番組選択画面の例を説明する図である。
【図９】表示部に表示される番組選択画面の他の例を説明する図である。
【図１０】識別データの他の構成例を説明する図である。
【図１１】図１０の識別データを含み、先頭のＡＶファイルに識別データが付与される場合のＡＶファイルの生成例を説明する図である。
【図１２】番組が中断された場合に分割する場合のＡＶファイルの生成例を説明する図である。
【図１３】番組が中断されている間に他の番組を記録した場合に、記録メディア３７に記録されるＡＶファイルの例を説明する図である。
【図１４】１つのシリーズの番組を録画する場合に、複数のＡＶファイルに識別データを付与する場合の例を説明する図である。
【図１５】コピーが制限され、制限される状態が変化する番組を録画する場合に、複数のＡＶファイルに分けて記録する場合の例を説明する図である。
【図１６】本発明を適用した他の記録装置の構成例を示すブロック図である。
【図１７】本発明を適用した他の再生装置の構成例を示すブロック図である。
【図１８】パーソナルコンピュータの構成例を示すブロック図である。
【符号の説明】
【０１６０】
１１  記録再生装置，  ２８  CPU，  ３０  RAM，  ３１  エンコーダ，  ３６  記録媒体制御部，  ３７  記録メディア，  ３８  デコーダ，  ７１  主制御部，  ７２  残量判定部，  ７３  計時部，  ７４  識別データ付与部，  ７５  関連付け処理部，  ９０  ＡＶファイル，  １０１  識別データ
【図１】
2006246422.tif 000003
【図２】
2006246422.tif 000004
【図３】
2006246422.tif 000005
【図４】
2006246422.tif 000006
【図５】
2006246422.tif 000007
【図６】
2006246422.tif 000008
【図７】
2006246422.tif 000009
【図８】
2006246422.tif 000010
【図９】
2006246422.tif 000011
【図１０】
2006246422.tif 000012
【図１１】
2006246422.tif 000013
【図１２】
2006246422.tif 000014
【図１３】
2006246422.tif 000015
【図１４】
2006246422.tif 000016
【図１５】
2006246422.tif 000017
【図１６】
2006246422.tif 000018
【図１７】
2006246422.tif 000019
【図１８】
2006246422.tif 000020